(57)【要約】      （修正有）【課題】側臥位の状態で好適に読書などの活動ができる重ね用枕を提供する。【解決手段】枕５０の上に重ねた状態で用いる重ね用枕１０であって、側面の一部に側方に向かって突出する凸部３０が形成され、凸部が形成されていない箇所と、形成されている箇所とが連続する部位に、使用者の頸部を支持する形状を有する。また、凸部が、重ね用枕の最も厚い部位となっている。側臥位の姿勢でも頸椎から背骨にかけて、まっすぐ伸びた快適な姿勢を維持することができ、首や肩に負荷がかかりにくく、楽な姿勢で活動可能となる。特に、凸部が最も厚い部位であるため、側臥位状態でも頸部後方が好適に支持される。ユーザは、自身の筋力を用いることなく頭部および頸部が安定するため、リラックスした状態で読書を行うことが可能となる。【選択図】図４
0003216120.tif 000002
【実用新案登録請求の範囲】
【請求項１】
枕の上に重ねられた状態で用いるための重ね用枕。
【請求項２】
前記重ね用枕の側面の一部に側方に向かって突出する凸部が形成され、前記凸部が形成されていない箇所と、前記凸部が形成されている箇所とが連続する部位において、使用者の頸部を支持することを特徴とする請求項１に記載の重ね用枕。
【請求項３】
前記凸部が、前記重ね用枕の最も厚い部位とされたことを特徴とする請求項２に記載の重ね用枕。
【請求項４】
前記重ね用枕のユーザの頭部が載置される載置面に凹部が形成されており、
前記凹部を区画する内壁面が、環状に連続することなく、前記内壁面の両端部が離間しており、それら内壁面の一端部が他端部に向かって湾曲し、他端部が一端部から離れる方向に向かって湾曲していることを特徴とする請求項１ないし請求項３のいずれか１つに記載の重ね用枕。
【考案の詳細な説明】
【技術分野】
【０００１】
本考案は、ユーザの頭部を支持するための枕に関する。
【背景技術】
【０００２】
枕は、睡眠時などにおいて、ユーザの頭部及び頸部を支持する寝具として用いられる。下記特許文献には、枕の一例が記載されている。
【先行技術文献】
【特許文献】
【０００３】
【特許文献１】特開２０１７−０２９２４７号公報
【考案の概要】
【考案が解決しようとする課題】
【０００４】
枕は、睡眠時などにおいて、ユーザの頭部及び頸部を支持する寝具として用いられるものであるが、ユーザは、枕に頭部などを支持させた状態で、横になりながら読書などの活動をする場合もある。つまり、ユーザは、枕に頭部などを支持させ、側臥位の状態で活動する場合もある。しかしながら、枕は、通常、睡眠時などにおいてユーザの頭部等を支持する寝具として用いられるため、高さ方向の寸法は、然程、高くされていない。このため、ユーザが、枕に頭部などを支持させ、側臥位の状態で一定時間活動をしようとすると、姿勢が崩れ首や肩に負荷がかかってしまうため快適な活動の妨げとなっている。本考案は、そのような実情に鑑みてなされたものであり、側臥位の状態で好適に活動することが可能な技術を提供する。
【課題を解決するための手段】
【０００５】
上記課題を解決するために、本考案の重ね用枕は、枕の上に重ねられた状態で用いるためのものである。
【考案の効果】
【０００６】
本考案によれば、枕の上に重ね用枕を重ねて使用することで、ユーザが通常使用している枕で側臥位の姿勢をした場合に起こる、枕の高さ不適合を起因とする姿勢の崩れを防ぎ、頭部を水平に支持させることで、側臥位の状態でも首や肩に負荷がかかりにくい、頭部の先から背骨のつけ根部分までまっすぐ伸びた快適な姿勢を維持することができ、快適な活動が可能となる。
【図面の簡単な説明】
【０００７】
【図１】本考案の実施例の枕の斜視図である。
【図２】図１の枕の正面図、背面図、左側面図、右側面図、平面図である。
【図３】図１の枕の底面図である。
【図４】使用されている状態の図１の枕を示すイメージ図である。
【考案を実施するための形態】
【０００８】
以下、本考案を実施するための形態として、本考案の実施例を、図を参照しつつ詳しく説明する。
【０００９】
図１に、本考案の実施例の重ね用枕１０を示す。重ね用枕１０は、袋状とされた表布１２と、表布１２の内部に縫製された仕切布１４と、表布１２の内部に充填された詰め物（図示省略）とにより構成されている。以下に、重ね用枕１０の平面図（図２（ａ））、左側面図（図２（ｂ））、右側面図（図２（ｃ））、背面図（図２（ｄ））、正面図（図２（ｅ））、底面図（図３）を用いて、重ね用枕１０の構造を詳しく説明する。なお、本明細書では、図２（ａ）における下方を前方向、上方を後方向、左方を左方向、右方を右方向と称し、説明を行う。
【００１０】
表布１２は、表面の布部材（以下、「表面布部材」と記載する）２０と、裏面の布部材（以下、「裏面布部材」と記載する）２２と、側面の布部材（以下、「側面布部材」と記載する）２４とにより構成されている。表面布部材２０と裏面布部材２２とは、概して方形とされ、略同寸法とされている。また、側面布部材２４は、概して矩形の帯状とされている。
【００１１】
そして、表面布部材２０と裏面布部材２２とが対向した状態で配設され、表面布部材２０の外縁の全域に亘って、側面布部材２４の長手方向に延びる上縁が縫製され、裏面布部材２２の外縁の全域に亘って、側面布部材２４の長手方向に延びる下縁が縫製されている。これにより、表布１２が袋状とされている。
【００１２】
また、表面布部材２０及び裏面布部材２２については、顔が直接当たり、感触を直に感じる部分のため、肌なじみが良く、伸縮性があってやわらかさを感じるエステルスムースニットが用いられており、側面布部材２４として、伸縮性がなく型崩れし難いピーチスキン生地が用いられている。そして、袋状とされた表布１２の内部に、詰め物として、家庭での洗濯が可能で、羽毛の感触に似せて作られた細く柔らかい6デニールのポリエステルわたが充填されている。
【００１３】
また、表布１２の前方側の側面には、前方に向かって突出する凸部３０が形成されている。凸部３０は、表布１２の前方側の側面の右側の端部に位置しており、その側面の凸部３０が形成されている箇所と凸部３０が形成されていない箇所とが連続する部位は、表布１２の前方側側面の左右方向において略中央に位置している。
【００１４】
また、表布１２の前方側側面の高さ寸法は、後方側側面の高さ寸法より高くされており、表布１２の右側側面の高さ寸法は、左側側面の高さ寸法より高くされている。つまり、重ね用枕１０は、前方に向かうほど厚くされ、右側に向かうほど厚くされている。そして、重ね用枕１０の前方側側面の右側の端部に、凸部３０が形成されている。これにより、重ね用枕１０では、凸部３０が形成されている部位が、最も厚くされている。
【００１５】
また、仕切布１４は、概して矩形の帯状とされており、伸縮性の低い素材により形成されている。仕切布１４は、表布１２の内部の略中央部において、概して耳の形状に湾曲されており、仕切布１４の長手方向に延びる上縁が、表面布部材２０に縫製され、仕切布１４の長手方向に延びる下縁が、裏面布部材２２に縫製されている。
【００１６】
なお、仕切布１４の長手方向に延びる両端部は離間しており、それら両端部の間は開口している。そして、その開口は、左側を向いている。つまり、仕切布１４の両端部は、凸部３０が形成されている右側と反対側に向かって開口している。また、仕切布１４の両端部のうちの後方側の端部は、前方側の端部より、左側に向かって延び出しており、前方側の端部から離れる方向に僅かに湾曲している。一方、仕切布１４の前方側の端部は、後方側の端部に近づく方向に僅かに湾曲している。
【００１７】
また、仕切布１４の高さ方向の寸法は、側面布部材２４の高さ方向の寸法より僅かに低くされている。具体的には、１０〜５０ｍｍ程度、低くされている。このため、表面布部材２０及び裏面布部材２２の仕切布１４が縫製されている箇所は凹んでおり、仕切布１４の縫製箇所に沿って、その縫製箇所の内部は、凹部３６とされている。つまり、重ね用枕１０の表面と裏面との略中央部に凹部３６が形成されており、各凹部３６は、凹部３６を区画する内壁面が環状に連続することなく、内壁面の両端部が離間しており、それら内壁面の一端部が他端部に向かって湾曲し、他端部が一端部から離れる方向に向かって湾曲する形状とされている。
【００１８】
このような構造の重ね用枕１０は、寝具として一般的に用いられている枕（図４参照）５０の上に、重ねられることで、ユーザは側臥位の状態で好適に読書などの活動をすることが可能となる。具体的には、例えば、図４（ａ）に示すように、枕５０の上面の右側に、重ね用枕１０が重ねられる。この際、重ね用枕１０は、凸部がユーザ側に突出し、右側に位置するように、枕５０に重ねられる。
【００１９】
そして、ユーザは、重ね用枕１０の前方側側面の凸部３０が形成されている箇所と凸部３０が形成されていない箇所との連続する部位に、頸部を支持させるとともに、頭部を重ね用枕１０の上面に載置する。これにより、ユーザは側臥位の姿勢として首・肩に負荷がかかりにくい、頸椎から背骨が直線になった姿勢を維持することができる。この際、ユーザが、自身で保持した本等を、枕５０の上面に乗せることで、僅かであるが斜め下方において、閲覧することができ、非常に楽な姿勢で読書することが可能となる。
【００２０】
特に、重ね用枕１０は、凸部３０が最も厚い部位であるため、ユーザの頸部は、凸部３０により、側臥位姿勢の状態でも、頸部後方を覆うようにして支持するため、ユーザは、自身の筋力を用いることなく、側臥位姿勢が安定し、リラックスした状態で読書を行うことが可能となる。
【００２１】
さらに言えば、重ね用枕１０の上面の中央部には、凹部３６が形成されている。このため、ユーザが、重ね用枕１０の上面に頭部を載置し、右側臥位の姿勢をとると、ユーザの耳が、凹部３６に入り込む。これにより、右側臥位の状態におけるユーザの右耳の圧迫を抑制することが可能となる。特に、凹部３６は、凸部３０から離れる方向に向かって開口しているため、右耳の前方が凹部３６の開口位置に対向した状態となる。これにより、更に効果的に右耳の圧迫を抑制することが可能となる。
【００２２】
また、重ね用枕１０では、表面と裏面との両方に凹部３６が形成されている。このため、ユーザは、重ね用枕１０を引っくり返すことで、図４（ｂ）に示すように、左側臥位の状態においても、右側臥位と同様の効果を得ることができる。これにより、ユーザは、右側臥位と左側臥位とのうちの好きな体勢において、読書などの活動を楽しむことができる。
【００２３】
なお、本考案は、通常使用している枕を側臥位姿勢で使用する際に起こる、枕の高さの不適合を修正し、側臥位姿勢の際の身体にかかる負荷を軽減し、姿勢維持を容易にすることを目的としているものである。そのため上記実施例に限定されるものではなく、通常使用している枕の上に重ねて使用し、側臥位姿勢の際に生ずる枕の高さの不適合を修正する枕の考案である。例えば、凸部３０、凹部３６などの形成されていない重ね枕を、枕５０の上に重ねて使用した場合でも、側臥位姿勢で使用する際に起こる、枕の高さの不適合を修正することができ、負担の少ない側臥位姿勢を維持することができる。
【符号の説明】
【００２４】
１０：重ね用枕
３０：凸部
３６：凹部
【図１】
0003216120.tif 000003
【図２】
0003216120.tif 000004
【図３】
0003216120.tif 000005
【図４】
0003216120.tif 000006
【手続補正書】
【提出日】平成30年3月12日(2018.3.12)
【手続補正１】
【補正対象書類名】明細書
【補正対象項目名】全文
【補正方法】変更
【補正の内容】
【考案の詳細な説明】
【技術分野】
【０００１】
本考案は、ユーザの頭部を支持するための枕に関する。
【背景技術】
【０００２】
枕は、睡眠時などにおいて、ユーザの頭部及び頸部を支持する寝具として用いられる。下記特許文献には、枕の一例が記載されている。
【先行技術文献】
【特許文献】
【０００３】
【特許文献１】特開２０１７−０２９２４７号公報
【考案の概要】
【考案が解決しようとする課題】
【０００４】
枕は、睡眠時などにおいて、ユーザの頭部及び頸部を支持する寝具として用いられるものであるが、ユーザは、枕に頭部などを支持させた状態で、横になりながら読書などの活動をする場合もある。つまり、ユーザは、枕に頭部などを支持させ、側臥位の状態で活動する場合もある。しかしながら、枕は、通常、睡眠時などにおいてユーザの頭部等を支持する寝具として用いられるため、高さ方向の寸法は、然程、高くされていない。このため、ユーザが、枕に頭部などを支持させ、側臥位の状態で一定時間活動をしようとすると、姿勢が崩れ首や肩に負荷がかかってしまうため快適な活動の妨げとなっている。本考案は、そのような実情に鑑みてなされたものであり、側臥位の状態で好適に活動することが可能な技術を提供する。
【課題を解決するための手段】
【０００５】
上記課題を解決するために、本考案の重ね用枕は、枕の上に重ねられた状態で用いるためのものであって、前記重ね用枕の側面の一部に側方に向かって突出する凸部が形成され、前記凸部が形成されていない箇所と、前記凸部が形成されている箇所とが連続する部位において、使用者の頸部を支持することを特徴とする。
【考案の効果】
【０００６】
本考案によれば、枕の上に重ね用枕を重ねて使用することで、ユーザが通常使用している枕で側臥位の姿勢をした場合に起こる、枕の高さ不適合を起因とする姿勢の崩れを防ぎ、頭部を水平に支持させることで、側臥位の状態でも首や肩に負荷がかかりにくい、頭部の先から背骨のつけ根部分までまっすぐ伸びた快適な姿勢を維持することができ、快適な活動が可能となる。
【図面の簡単な説明】
【０００７】
【図１】本考案の実施例の枕の斜視図である。
【図２】図１の枕の正面図、背面図、左側面図、右側面図、平面図である。
【図３】図１の枕の底面図である。
【図４】使用されている状態の図１の枕を示すイメージ図である。
【考案を実施するための形態】
【０００８】
以下、本考案を実施するための形態として、本考案の実施例を、図を参照しつつ詳しく説明する。
【０００９】
図１に、本考案の実施例の重ね用枕１０を示す。重ね用枕１０は、袋状とされた表布１２と、表布１２の内部に縫製された仕切布１４と、表布１２の内部に充填された詰め物（図示省略）とにより構成されている。以下に、重ね用枕１０の平面図（図２（ａ））、左側面図（図２（ｂ））、右側面図（図２（ｃ））、背面図（図２（ｄ））、正面図（図２（ｅ））、底面図（図３）を用いて、重ね用枕１０の構造を詳しく説明する。なお、本明細書では、図２（ａ）における下方を前方向、上方を後方向、左方を左方向、右方を右方向と称し、説明を行う。
【００１０】
表布１２は、表面の布部材（以下、「表面布部材」と記載する）２０と、裏面の布部材（以下、「裏面布部材」と記載する）２２と、側面の布部材（以下、「側面布部材」と記載する）２４とにより構成されている。表面布部材２０と裏面布部材２２とは、概して方形とされ、略同寸法とされている。また、側面布部材２４は、概して矩形の帯状とされている。
【００１１】
そして、表面布部材２０と裏面布部材２２とが対向した状態で配設され、表面布部材２０の外縁の全域に亘って、側面布部材２４の長手方向に延びる上縁が縫製され、裏面布部材２２の外縁の全域に亘って、側面布部材２４の長手方向に延びる下縁が縫製されている。これにより、表布１２が袋状とされている。
【００１２】
また、表面布部材２０及び裏面布部材２２については、顔が直接当たり、感触を直に感じる部分のため、肌なじみが良く、伸縮性があってやわらかさを感じるエステルスムースニットが用いられており、側面布部材２４として、伸縮性がなく型崩れし難いピーチスキン生地が用いられている。そして、袋状とされた表布１２の内部に、詰め物として、家庭での洗濯が可能で、羽毛の感触に似せて作られた細く柔らかい6デニールのポリエステルわたが充填されている。
【００１３】
また、表布１２の前方側の側面には、前方に向かって突出する凸部３０が形成されている。凸部３０は、表布１２の前方側の側面の右側の端部に位置しており、その側面の凸部３０が形成されている箇所と凸部３０が形成されていない箇所とが連続する部位は、表布１２の前方側側面の左右方向において略中央に位置している。
【００１４】
また、表布１２の前方側側面の高さ寸法は、後方側側面の高さ寸法より高くされており、表布１２の右側側面の高さ寸法は、左側側面の高さ寸法より高くされている。つまり、重ね用枕１０は、前方に向かうほど厚くされ、右側に向かうほど厚くされている。そして、重ね用枕１０の前方側側面の右側の端部に、凸部３０が形成されている。これにより、重ね用枕１０では、凸部３０が形成されている部位が、最も厚くされている。
【００１５】
また、仕切布１４は、概して矩形の帯状とされており、伸縮性の低い素材により形成されている。仕切布１４は、表布１２の内部の略中央部において、概して耳の形状に湾曲されており、仕切布１４の長手方向に延びる上縁が、表面布部材２０に縫製され、仕切布１４の長手方向に延びる下縁が、裏面布部材２２に縫製されている。
【００１６】
なお、仕切布１４の長手方向に延びる両端部は離間しており、それら両端部の間は開口している。そして、その開口は、左側を向いている。つまり、仕切布１４の両端部は、凸部３０が形成されている右側と反対側に向かって開口している。また、仕切布１４の両端部のうちの後方側の端部は、前方側の端部より、左側に向かって延び出しており、前方側の端部から離れる方向に僅かに湾曲している。一方、仕切布１４の前方側の端部は、後方側の端部に近づく方向に僅かに湾曲している。
【００１７】
また、仕切布１４の高さ方向の寸法は、側面布部材２４の高さ方向の寸法より僅かに低くされている。具体的には、１０〜５０ｍｍ程度、低くされている。このため、表面布部材２０及び裏面布部材２２の仕切布１４が縫製されている箇所は凹んでおり、仕切布１４の縫製箇所に沿って、その縫製箇所の内部は、凹部３６とされている。つまり、重ね用枕１０の表面と裏面との略中央部に凹部３６が形成されており、各凹部３６は、凹部３６を区画する内壁面が環状に連続することなく、内壁面の両端部が離間しており、それら内壁面の一端部が他端部に向かって湾曲し、他端部が一端部から離れる方向に向かって湾曲する形状とされている。
【００１８】
このような構造の重ね用枕１０は、寝具として一般的に用いられている枕（図４参照）５０の上に、重ねられることで、ユーザは側臥位の状態で好適に読書などの活動をすることが可能となる。具体的には、例えば、図４（ａ）に示すように、枕５０の上面の右側に、重ね用枕１０が重ねられる。この際、重ね用枕１０は、凸部がユーザ側に突出し、右側に位置するように、枕５０に重ねられる。
【００１９】
そして、ユーザは、重ね用枕１０の前方側側面の凸部３０が形成されている箇所と凸部３０が形成されていない箇所との連続する部位に、頸部を支持させるとともに、頭部を重ね用枕１０の上面に載置する。これにより、ユーザは側臥位の姿勢として首・肩に負荷がかかりにくい、頸椎から背骨が直線になった姿勢を維持することができる。この際、ユーザが、自身で保持した本等を、枕５０の上面に乗せることで、僅かであるが斜め下方において、閲覧することができ、非常に楽な姿勢で読書することが可能となる。
【００２０】
特に、重ね用枕１０は、凸部３０が最も厚い部位であるため、ユーザの頸部は、凸部３０により、側臥位姿勢の状態でも、頸部後方を覆うようにして支持するため、ユーザは、自身の筋力を用いることなく、側臥位姿勢が安定し、リラックスした状態で読書を行うことが可能となる。
【００２１】
さらに言えば、重ね用枕１０の上面の中央部には、凹部３６が形成されている。このため、ユーザが、重ね用枕１０の上面に頭部を載置し、右側臥位の姿勢をとると、ユーザの耳が、凹部３６に入り込む。これにより、右側臥位の状態におけるユーザの右耳の圧迫を抑制することが可能となる。特に、凹部３６は、凸部３０から離れる方向に向かって開口しているため、右耳の前方が凹部３６の開口位置に対向した状態となる。これにより、更に効果的に右耳の圧迫を抑制することが可能となる。
【００２２】
また、重ね用枕１０では、表面と裏面との両方に凹部３６が形成されている。このため、ユーザは、重ね用枕１０を引っくり返すことで、図４（ｂ）に示すように、左側臥位の状態においても、右側臥位と同様の効果を得ることができる。これにより、ユーザは、右側臥位と左側臥位とのうちの好きな体勢において、読書などの活動を楽しむことができる。
【００２３】
なお、本考案は、通常使用している枕を側臥位姿勢で使用する際に起こる、枕の高さの不適合を修正し、側臥位姿勢の際の身体にかかる負荷を軽減し、姿勢維持を容易にすることを目的としているものである。そのため上記実施例に限定されるものではなく、通常使用している枕の上に重ねて使用し、側臥位姿勢の際に生ずる枕の高さの不適合を修正する枕の考案である。例えば、凸部３０、凹部３６などの形成されていない重ね枕を、枕５０の上に重ねて使用した場合でも、側臥位姿勢で使用する際に起こる、枕の高さの不適合を修正することができ、負担の少ない側臥位姿勢を維持することができる。
【符号の説明】
【００２４】
１０：重ね用枕
３０：凸部
３６：凹部
【手続補正２】
【補正対象書類名】実用新案登録請求の範囲
【補正対象項目名】全文
【補正方法】変更
【補正の内容】
【実用新案登録請求の範囲】
【請求項１】
枕の上に重ねられた状態で用いるための重ね用枕であって、
前記重ね用枕の側面の一部に側方に向かって突出する凸部が形成され、前記凸部が形成されていない箇所と、前記凸部が形成されている箇所とが連続する部位において、使用者の頸部を支持する形状を有する重ね用枕。
【請求項２】
前記凸部が、前記重ね用枕の最も厚い部位とされたことを特徴とする請求項１に記載の重ね用枕。
【請求項３】
前記重ね用枕のユーザの頭部が載置される載置面に凹部が形成されており、
前記凹部を区画する内壁面が、環状に連続することなく、前記内壁面の両端部が離間しており、それら内壁面の一端部が他端部に向かって湾曲し、他端部が一端部から離れる方向に向かって湾曲していることを特徴とする請求項１または請求項２に記載の重ね用枕。
【請求項４】
前方側側面の高さ寸法が後方側側面の高さ寸法より高く、右側側面の高さ寸法が左側側面の高さ寸法より高くされており、
前記凸部が、前記前方側側面の右側の端部に形成されたことを特徴とする請求項１ないし請求項３のいずれか１つに記載の重ね用枕。